(57)【要約】【課題】コネクター本体、フランジ部、防水用ゴムリング等の規格を変更することなく、防水用ゴムリングを正規位置に保持して、確実に防水効果が得られるようにする。【解決手段】本発明によるリング位置矯正治具は、面対称となるように２分割された筒部（１ａ）と、面対称となるように２分割され、筒部（１ａ）の上部および／または下部に設けられる平板部（１ｂ）と、２分割された筒部（１ａ）および平板部（１ｂ）を、回動自在に軸支する蝶番（３）とを有し、平板部（１ｂ）の中央に、リング（５）の外径にほぼ等しい直径の孔（１ｃ）が形成され、筒部（１ａ）および平板部（１ｂ）を閉回動したときに、リング（５）が孔（１ｃ）に押されて中央に移動することを特徴とする。【選択図】図１
2010003563.tif 000002
【特許請求の範囲】
【請求項１】
面対称となるように２分割された筒部（１ａ）と、
面対称となるように２分割され、前記筒部（１ａ）の上部および／または下部に設けられる平板部（１ｂ）と、
２分割された前記筒部（１ａ）および前記平板部（１ｂ）を、回動自在に軸支する蝶番（３）とを有し、
前記平板部（１ｂ）の中央に、リング（５）の外径にほぼ等しい直径の孔（１ｃ）が形成され、
前記筒部（１ａ）および前記平板部（１ｂ）を閉回動したときに、前記リング（５）が前記孔（１ｃ）に押されて中央に移動することを特徴とするリング位置矯正治具。
【請求項２】
前記筒部（１ａ）の内径が、前記リングを載置しようとする部材（８１）の外径に略等しいことを特徴とする請求項１に記載のリング位置矯正治具。
【請求項３】
２分割された前記筒部（１ａ）を閉じた状態に保持するクリップ（１５）を有することを特徴とする請求項１または請求項２に記載のリング位置矯正治具。
【請求項４】
前記蝶番（３）が、横断面Ｘ字状の蝶番、Ｕ字状の弾性部材、またはＶ字状の弾性部材であることを特徴とする請求項１に記載のリング位置矯正治具。
【請求項５】
前記筒部（１ａ）および前記平板部（１ｂ）が３以上に分割され、
３以上に分割された前記筒部（１ａ）および前記平板部（１ｂ）を、回動自在に軸支する２以上の蝶番（３）を有することを特徴とする請求項１に記載のリング位置矯正治具。
【発明の詳細な説明】
【技術分野】
【０００１】
本発明は、携帯電話基地局のアンテナコネクターに使用されるリング位置矯正治具に関するものである。
【背景技術】
【０００２】
携帯電話の基地局では、アンテナに付いているコネクターに給電線を接続して高周波信号の伝送を行っている。この給電線の接続は図８に示すようにして行われる。
【０００３】
図８において、高周波信号の伝送を行う給電線１０は、円筒状のコネクター本体８に接続されている。コネクター本体８の中心８ａに中心コンタクト６の下側中心部６ａを挿入し（図８（ｂ））、中心コンタクト６の上側中心部６ｂに防水用ゴムリング５を載置する（図８（ｃ））。その後、コネクター本体８の全体を上側に持ち上げるようにして、アンテナ（図示せず）に接続されている上側コネクター本体９の中心９ａに中心コンタクト６の上側中心部６ｂを挿入する。
【０００４】
図９に示すように、コネクター本体８の上部には、縦断面が半円状の溝８ｂがコネクター本体８の上部中央に形成されている。同様に、コネクター本体９の下部には、縦断面が半円状の溝９ｂがコネクター本体９の下部中央に形成されている。防水用ゴムリング５は、コネクター本体８の溝８ｂに載置される（図８（ｃ）、図９）。溝８ｂおよび溝９ｂは、防水用ゴムリング５の載置位置を決める役割と、防水用ゴムリング５との接触面積を大きくして防水効果を高める役割を果たす。
【０００５】
コネクター本体８の上側には、フランジ部８１が回動自在に軸支されており、フランジ部８１には３つのネジ穴８１ａ〜８１ｃが形成されている。同様に、コネクター本体９の下側には、フランジ部９１が回動自在に軸支されており、フランジ部９１には３つのネジ穴９１ａ〜９１ｃが形成されている。
【０００６】
上側コネクター本体９の中心９ａに中心コンタクト６の上側中心部６ｂを挿入してから、フランジ部９１に形成されたネジ穴９１ａ〜９１ｃとフランジ部８１に形成されたネジ穴８１ａ〜８１ｃのそれぞれに、ボルト（図示せず）を挿通して反対側からそれぞれのナット（図示せず）で締め付け固定する。
【０００７】
なお、コネクター本体８、フランジ部８１、コネクター本体９およびフランジ部９１の形状は、防水用ゴムリング５を含めて規格化されており、変更することは出来ない。
【特許文献１】特開２００７−０７３２６９号公報
【特許文献２】特開２００５−２５９６４３号公報
【発明の開示】
【発明が解決しようとする課題】
【０００８】
上述した給電線の接続作業は、鉄塔上やビル屋上などの高所で行われるために、目視での確認が困難であることや、防水用ゴムリング５を溝８ｂに載置した後の横からの強風が原因で、ゴムリング５の載置位置が図９に示すように溝８ｂからずれてしまうことがある。この状態で、ネジ穴９１ａ〜９１ｃとネジ穴８１ａ〜８１ｃのそれぞれにボルトを挿通してそれぞれのナットで締め付けると、防水用ゴムリング５が溝８ｂや溝９ｂの角で切断され、防水効果が得られないことがある。
【０００９】
本発明は、上記の問題点に鑑みてなされたもので、コネクター本体、フランジ部、防水用ゴムリング等の規格を変更することなく、防水用ゴムリングを正規位置に保持して、確実に防水効果が得られるようにすることを目的とする。
【課題を解決するための手段】
【００１０】
この目的を達成するために、
請求項１の発明によるリング位置矯正治具は、
面対称となるように２分割された筒部（１ａ）と、
面対称となるように２分割され、筒部（１ａ）の上部および／または下部に設けられる平板部（１ｂ）と、
２分割された筒部（１ａ）および平板部（１ｂ）を、回動自在に軸支する蝶番（３）とを有し、
平板部（１ｂ）の中央に、リング（５）の外径にほぼ等しい直径の孔（１ｃ）が形成され、
筒部（１ａ）および平板部（１ｂ）を閉回動したときに、リング（５）が孔（１ｃ）に押されて中央に移動することを特徴とする。
請求項２の発明によるリング位置矯正治具は、請求項１において、
筒部（１ａ）の内径が、リングを載置しようとする部材（８１）の外径に略等しいことを特徴とする。
請求項３の発明によるリング位置矯正治具は、請求項１または請求項２において、
２分割された筒部（１ａ）を閉じた状態に保持するクリップ（１５）を有することを特徴とする。
請求項４の発明によるリング位置矯正治具は、請求項１において、
蝶番（３）が、横断面Ｘ字状の蝶番、Ｕ字状の弾性部材、またはＶ字状の弾性部材であることを特徴とする。
請求項５の発明によるリング位置矯正治具は、請求項１において、
筒部（１ａ）および平板部（１ｂ）が３以上に分割され、
３以上に分割された筒部（１ａ）および平板部（１ｂ）を、回動自在に軸支する２以上の蝶番（３）を有することを特徴とする。
【発明の効果】
【００１１】
本発明のリング位置矯正治具によれば、コネクター本体、フランジ部、防水用ゴムリング等の規格を変更することなく、防水用ゴムリングを正規位置に保持することで確実に防水効果を得ることが可能となる。
【発明を実施するための最良の形態】
【００１２】
以下、本発明の実施の形態を図面に基づいて説明する。
【実施例１】
【００１３】
図１は、本発明によるリング位置矯正治具の第１実施形態を示し、図１（ａ）は正面図、図１（ｂ）は部分断面図、図１（ｃ）は上面図である。図２は、本発明によるリング位置矯正治具の第１実施形態を示す斜視図である。
【００１４】
図１（ａ）および図１（ｂ）に示すように、治具１は金属または樹脂で構成され、円筒部１ａと円板部１ｂとを有する。円筒部１ａの右側（図１（ｃ））には部分的に平面部が形成され、蝶番３がネジ４により取り付け固定されている。円筒部１ａおよび円板部１ｂは２つの半円筒部に分割されており、蝶番３により回動自在に軸支されている。
【００１５】
円板部１ｂには中央に孔１ｃが形成されている。孔１ｃの直径は防水用ゴムリング５の外径に略等しく、円板部１ｂの厚さは防水用ゴムリング５の厚さに近い値に設定されている。円筒部１ａの内径はフランジ部８１（図２）の外径に略等しく、蝶番３により軸支されている状態で閉回動したときに、円筒部１ａの内周がフランジ部８１の外周に係止する。
【００１６】
この構造により、図２に示すように、防水用ゴムリング５を溝８ｂに載置した後の横からの強風が原因で、防水用ゴムリング５の載置位置が溝８ｂからずれてしまった場合でも、図３に示すように、円筒部１ａおよび円板部１ｂを開回動した状態でフランジ部８１に載置して、円筒部１ａの内周がフランジ部８１の外周に係止するまで矢印Ａ方向に閉回動すると、防水用ゴムリング５が孔１ｃに押されて移動し、防水用ゴムリング５を中央の溝８ｂに収めることが可能となる。
【００１７】
なお、図３では防水用ゴムリング５を明確に示すために省略されているが、円筒部１ａおよび円板部１ｂを矢印Ａ方向に閉回動する動作は、上側コネクター本体９（図８参照）の中心９ａに中心コンタクト６の上側中心部６ｂを挿入して、上側フランジ部９１に防水用ゴムリング５が接触する程度の位置で行われる。このことは、防水用ゴムリング５が孔１ｃに押されて移動するときに、防水用ゴムリング５が孔１ｃからはみ出ないことを意味する。
【００１８】
その後、円筒部１ａおよび円板部１ｂを開回動させてフランジ部８１から外し、フランジ部９１に形成されたネジ穴９１ａ〜９１ｃとフランジ部８１に形成されたネジ穴８１ａ〜８１ｃのそれぞれに、ボルト（図示せず）を挿通して反対側からそれぞれのナット（図示せず）で締め付け固定する。これにより、防水用ゴムリング５を正規位置である溝８ｂに収めてから上下から押さえることになるので、防水用ゴムリング５を損傷することなく確実に防水効果を得ることが可能となる。
【実施例２】
【００１９】
図４は、本発明によるリング位置矯正治具の第２実施形態を示し、図４（ａ）は正面図、図４（ｂ）は部分断面図、図４（ｃ）は上面図である。図中、図１〜図３と同じ構成部分には同じ参照番号を付して重複した説明を省略する。
【００２０】
図４（ａ）および図４（ｂ）に示すように、治具１の円筒部１ａの外周部には、クリップ１５が設けられている。また、蝶番１３は、半円筒部に分割された円筒部１ａおよび円板部１ｂの一方で中心部１３ａを形成し、他方で外周部１３ｂを形成することで、ネジ４を省略した簡易構造になっている。クリップ１５は、半円筒部に分割された円筒部１ａおよび円板部１ｂを閉回動したときに、両者を固定して風や作業員の不意の接触から円筒部１ａおよび円板部１ｂが開くのを防止している。他は、上述した第１実施形態と同様であり、重複した説明を省略する。
【実施例３】
【００２１】
図５は、本発明によるリング位置矯正治具の第３実施形態を示し、図５（ａ）は正面図、図５（ｂ）および図５（ｃ）は上面図である。図中、図１〜図４と同じ構成部分には同じ参照番号を付して重複した説明を省略する。
【００２２】
第３実施形態では、図５（ａ）〜図５（ｃ）に示すように、第１実施形態の蝶番３を横断面がＸ字状の蝶番２３に置き換えている。Ｘ字状蝶番２３の一端には操作部２３ｂが設けられ、他端には２つの半円筒部に分割された円筒部１ａおよび円板部１ｂが取り付けられている。操作部２３ｂを開閉回動操作することにより、他端に取り付けられている円筒部１ａおよび円板部１ｂが蝶番中心２３ａを中心にして開閉回動動作を行う。他は、上述した第１実施形態〜第２実施形態と同様であり、重複した説明を省略する。
【００２３】
なお、Ｘ字状の蝶番２３の代りに、和鋏のようなＵ字状の弾性部材や、ピンセットのようなＶ字状の弾性部材を用いることもできる。
【実施例４】
【００２４】
図６は、本発明によるリング位置矯正治具の第４実施形態を示し、図６（ａ）は正面図、図６（ｂ）および図６（ｃ）は上面図である。図中、図１〜図３と同じ構成部分には同じ参照番号を付して重複した説明を省略する。
【００２５】
第４実施形態では、図６（ａ）〜図６（ｃ）に示すように、第１実施形態では１個であった蝶番３を２個用いている。また、円筒部１ａ、円板部１ｂおよび孔１ｃは、３つに分割されている。３つに分割された円板部１ｂおよび孔１ｃで、防水用ゴムリング５を巻き込むようにしてコネクター本体８の溝８ｂに載置する。これにより、防水用ゴムリング５を正規位置である溝８ｂに収めることが可能となる。
【００２６】
以上、本発明を実施の形態により説明したが、本発明の技術的思想によれば、種々の変形が可能である。例えば、上述した実施形態においては、防水用ゴムリング５や孔１ｃは円形であるものとして説明したが、円形に限ることなく矩形や多角形であっても良い。また、円筒部１ａおよび円板部１ｂも円形に限ることなく矩形や多角形であっても良い。
【００２７】
更に、防水用ゴムリング５は、横向きに載置するものとして説明したが、コネクター本体８およびコネクター本体９が横向きである場合には、それに合わせて防水用ゴムリング５は縦向きに配置するようにして良い。
【００２８】
更に、円板部１ｂは円筒部１ａの下部に設けるものとして説明したが、上部に設けることも、上部および下部の両方に設けるようにしても良い。
【図面の簡単な説明】
【００２９】
【図１】リング位置矯正治具を示す正面図、部分断面図および上面図である。（実施例１）
【図２】リング位置矯正治具を示す斜視図である。（実施例１）
【図３】リング位置矯正治具を示す斜視図である。（実施例１）
【図４】リング位置矯正治具を示す正面図、部分断面図および上面図である。（実施例２）
【図５】リング位置矯正治具を示す正面図および上面図である。（実施例３）
【図６】リング位置矯正治具を示す正面図および上面図である。（実施例４）
【図７】リング位置矯正治具の用途を示す斜視図である。（従来例）
【図８】リング位置矯正治具の用途を示す斜視図である。（従来例）
【符号の説明】
【００３０】
１    治具
１ａ  円筒部
１ｂ  円板部
１ｃ  孔
３    蝶番
４    ネジ
５    防水用ゴムリング
６    中心コンタクト
６ａ  下側中心部
６ｂ  上側中心部
８    コネクター本体
８ａ  中心
８ｂ  溝
９    コネクター本体
９ａ  中心
９ｂ  溝
１０    給電線
１３    蝶番
１３ａ  中心部
１３ｂ  外周部
１５    クリップ
１８    フランジ部
２３    Ｘ字状蝶番
２３ａ  蝶番中心
２３ｂ  操作部
８１    フランジ部
８１ａ  ネジ穴
９１    フランジ部
９１ａ  ネジ穴
【図１】
2010003563.tif 000003
【図２】
2010003563.tif 000004
【図３】
2010003563.tif 000005
【図４】
2010003563.tif 000006
【図５】
2010003563.tif 000007
【図６】
2010003563.tif 000008
【図７】
2010003563.tif 000009
【図８】
2010003563.tif 000010